(57)【要約】【課題】暗い場所であっても周囲からの視認が容易であり優れた安全性を発揮することができる発光体付き安全衣服を提供する。【解決手段】衣服本体１の前後または左右から視認可能な位置に、フレキシブルでかつ光透過性を有する素材からなる筒状の保持部２を設けて、この保持部２の筒孔２ａ内に帯状の自己発光体３を挿入および取り出し自在とした。また、前記自己発光体３は、帯状のフレキシブル基板３ａと、このフレキシブル基板３ａの長手方向に沿って一定間隔で配置される複数個のＬＥＤ３ｂを有しており、また前記ＬＥＤは３ｂフレキシブル基板３ａの側面部から外に向けて発光するように配置してあるものが好ましい。【選択図】図３
2017186692.tif 000002
【特許請求の範囲】
【請求項１】
衣服本体の前後または左右から視認可能な位置に、フレキシブルでかつ光透過性を有する素材からなる筒状の保持部を設けて、この保持部の筒孔内に帯状の自己発光体を挿入および取り出し自在としたことを特徴とする発光体付き安全衣服。
【請求項２】
保持部は、光を透過する多数の孔部を有するメッシュ状素材からなるものである請求項１に記載の発光体付き安全衣服。
【請求項３】
自己発光体は、帯状のフレキシブル基板と、このフレキシブル基板の長手方向に沿って一定間隔で配置される複数個のＬＥＤを有しており、また前記ＬＥＤはフレキシブル基板の側面部から外に向けて発光するように配置してある請求項１または２に記載の発光体付き安全衣服。
【請求項４】
自己発光体の発光方向の前方側に、保持部に隣接して再帰性反射布が取り付けてある請求項１〜３のいずれかに記載の発光体付き安全衣服。
【発明の詳細な説明】
【技術分野】
【０００１】
本発明は、暗い場所であっても周囲からの視認が容易であり優れた安全性を発揮することができる発光体付き安全衣服に関するものである。
【背景技術】
【０００２】
従来から、夜間や暗所で自分の位置を第三者に知らせるために、反射材を取り付けた安全衣服が使用されている。代表的な安全衣服としては、夜間の道路工事などで着用されている安全ベストがあるが、その他に安全ジャンバーや安全カッパ等もある。本件明細書中でいう安全衣服とは、前記安全ベストの他にも各種の作業服、ジャンバー、防寒服、雨具、安全用タスキ、腰ベルト、腕章などを含んだ概念の総称を意味するものであり、以下、これらの概念を含めて安全衣服と称する。
【０００３】
前記反射材を取り付けた安全衣服は、外部からの光がない場合は、反射材が光を反射することができないため、視認性に欠けるという問題があった。そこで、例えば特許文献１〜特許文献３に示されるように、外部から視認できる位置に自己発光可能なＬＥＤを取り付けた安全衣服が種々提案され、実用に供されている。このＬＥＤ付きの安全衣服は、外部からの光がなくても自己発光するので、第三者に自分の位置を知らせることが可能であり、反射材に比べると視認性を大幅に向上させることができる。
【０００４】
しかしながら、特許文献１〜特許文献３に示されるものでは、安全衣服にＬＥＤをセットしてその外表面を光透過性のシート材やフィルム等で覆った構造となっている。従って、安全衣服が汚れて洗濯が必要になっても洗濯をすることができない。また、洗濯をする場合は、前記フィルム等を破ってＬＥＤを取り出す必要があり、一方、洗濯後は再びフィルム等で覆う必要があって復元作業が煩雑であった。このため、現実には使い捨ての形態で使用されることが多く、この結果、汚れたまま使用する場合が多くあり衛生的でない、あるいは使い捨てでコストが高くなるという問題があった。更には、ＬＥＤの点灯に伴う背面側（即ち、着用者の体側）への放熱があり、夏場などには着用者が暑さを感じて苦痛になるという問題もあった。
【先行技術文献】
【特許文献】
【０００５】
【特許文献１】特開２００４−１０７８５０号公報
【特許文献２】特開２０１５−１９６９１６号公報
【特許文献３】実用新案登録第３０１６０４７号公報
【発明の概要】
【発明が解決しようとする課題】
【０００６】
本発明は上記のような従来の問題点を解決して、ＬＥＤ等の発光体の着脱が簡単で汚れた場合にも発光体を簡単に取り出して洗濯を行うことができるとともに、洗濯後も発光体を簡単に取り付けることができ、更には、ＬＥＤ点灯に伴う背面側への放熱が少なくて着用者の暑さの負担も小さくすることができる発光体付き安全衣服を提供することを目的とするものである。
【課題を解決するための手段】
【０００７】
上記課題を解決するためになされた本発明の発光体付き安全衣服は、衣服本体の前後または左右から視認可能な位置に、フレキシブルでかつ光透過性を有する素材からなる筒状の保持部を設けて、この保持部の筒孔内に帯状の自己発光体を挿入および取り出し自在としたことを特徴とするものである。
【０００８】
好ましい実施形態によれば、前記保持部は、光を透過する多数の孔部を有するメッシュ状素材からなるものが好ましい。
【０００９】
また、その他の好ましい実施形態によれば、前記自己発光体は、帯状のフレキシブル基板と、このフレキシブル基板の長手方向に沿って一定間隔で配置される複数個のＬＥＤを有しており、また前記ＬＥＤはフレキシブル基板の側面部から外に向けて発光するように配置してあるものが好ましい。
【００１０】
また、その他の好ましい実施形態によれば、前記自己発光体の発光方向の前方側に、保持部に隣接して再帰性反射布が取り付けてあるものが好ましい。
【発明の効果】
【００１１】
本発明の発光体付き安全衣服では、衣服本体の前後または左右から視認可能な位置に、フレキシブルでかつ光透過性を有する素材からなる筒状の保持部を設けて、この保持部の孔内に帯状の自己発光体を挿入および取り出し自在としたので、外部からの光がなくても自己発光して第三者に自分の位置を知らせることができ、優れた安全性を発揮することができる。また、汚れた場合には自己発光体を簡単に取り出して洗濯することができ衛生的であり、更に、繰り返しの使用でコストダウンを図ることもできる。
【００１２】
前記保持部が、光を透過する多数の孔部を有するメッシュ状素材からなるもの場合は、前記孔部を通して自己発光体の光が外部へ大量に発光されるので、第三者に自分の位置を確実に知らせることができる。
【００１３】
また、自己発光体は、帯状のフレキシブル基板と、このフレキシブル基板の長手方向に沿って一定間隔で配置される複数個のＬＥＤを有しており、また前記ＬＥＤはフレキシブル基板の側面部から外に向けて発光するように配置してあるものでは、自己発光して優れた視認性を発揮できるうえに、ＬＥＤの点灯に伴う放熱を側面部に逃すため、背面側（即ち、着用者の体側）への放熱が少なくなり着用者が暑さを感じて苦痛になることがない。
【００１４】
また、前記自己発光体の発光方向の前方側に、保持部に隣接して再帰性反射布が取り付けてあるものとした場合は、前記ＬＥＤの側面部から外に向かう発光により反射布全体が明るくなって、より視認性を向上させることができる。また、車のヘッドライト等の光も再帰性反射布が効率的に反射して優れた安全性を発揮することができる。
【図面の簡単な説明】
【００１５】
【図１】本発明の実施の形態を示す正面図である。
【図２】図１の背面図である。
【図３】保持部を示す拡大図である。
【図４】自己発光体を示す斜視図である。
【図５】その他の実施の形態を示す正面図である。
【図６】その他の実施の形態を示す正面図である。
【図７】本発明の使用状態を示す説明図である。
【発明を実施するための形態】
【００１６】
以下に、図面を参照しつつ本発明の好ましい実施の形態を示す。
図１および図２は、安全衣服が安全ベストである場合を示す正面図と背面図である。図示のものでは、衣服本体１の全体が樹脂材や布材からなるメッシュ素材で構成されており、通気性や軽量性の向上が図られた構造となっている。勿論、メッシュ素材以外のシート材等で構成されていても問題ない。
【００１７】
前記衣服本体１の前後または左右から視認可能な位置には、フレキシブルでかつ光透過性を有する素材からなる筒状の保持部２が設けられている。なお、図１の安全ベストの場合は、正面部および背面部にＶ字状の保持部２が設けられている。そして、この保持部２の筒孔２ａ内には、帯状の自己発光体３を挿入および取り出し自在とできるように構成されている。
【００１８】
図３に、前記保持部２の拡大図を示す。この保持部２は、フレキシブルでかつ光透過性を有する素材からなるものであり、筒孔２ａ内に挿入した帯状の自己発光体３の光が外部から視認できるように構成されている。前記素材としては、塩化ビニール等の透明樹脂シートや薄い布材等を用いることができる。
なお図３に示すものでは、前記保持部２は多数の孔部２ｂを有する樹脂製のメッシュ状素材からなるものであり、自己発光体３の光が前記孔部２ｂを通過して外部へ投光される構造となっている。このようなメッシュ状素材は、衣服本体１を洗濯した場合の耐久性や乾かす時の速乾性を向上することができるので特に好ましい。
【００１９】
図４に示すように、前記自己発光体３は、帯状のフレキシブル基板３ａと、このフレキシブル基板３ａの長手方向に沿って一定間隔で配置される複数個のＬＥＤ３ｂを有しており、ＬＥＤ３ｂが直列に規則的に配列された状態を保持している。また、自己発光体３の端部はハーネス４を介して携帯電源５に接続されており、この携帯電源５の電源ＯＮ−ＯＦＦによって任意に自己発光体３を光らせることができる。なお前記携帯電源５は、衣服本体１の裏ポケット等に収納することができる。
このように、前記自己発光体３は帯状のフレキシブル基板３ａを用いているため前記保持部２の筒孔２ａ内への挿入および取り出しを簡単かつ自在行うことができ、容易に着脱して洗濯を行うことができる。
【００２０】
また前記ＬＥＤ３ｂは、フレキシブル基板３ａの側面部から外に向けて発光するように配置してある。帯状のフレキシブル基板３ａの幅広面である正面部にＬＥＤ３ｂを設置して、そこから外に向けて発光するのが一般的な構成であったが、本発明では敢えて幅狭面である側面部にＬＥＤ３ｂを配置した構造としてある。
これにより、ＬＥＤの点灯に伴う放熱を反対側の側面部方向に逃して、背面側（即ち、着用者の体側へ体側）への放熱を少なくし、夏場などに着用者が暑さを感じて苦痛になることを防止することができる。
【００２１】
また、前記自己発光体３の発光方向の前方側には、保持部に隣接して再帰性反射布６が取り付けてある（図１を参照）。再帰性反射布とは、光がどのような方向から当たっても光源に向かってそのまま反射するように光学的に工夫した反射布である。このため、自動車等のヘッドライトが当たると、その光は光源である自動車に向かってそのまま反射されてドライバーからはよく光って見えることになる。
このように、前記自己発光体３の発光と再帰性反射布６からの反射光の組み合わせにより暗闇における視認性が高くなるため、優れた安全性を発揮することができる。
【００２２】
次に、図５、図６に示すように、安全衣服としてその他の衣服等に適用した場合について説明する。
図５は、安全衣服が作業服である場合を示すものである。この場合は、フレキシブルでかつ光透過性を有する素材からなる筒状の保持部２が、正面部および背面部に逆Ｖ字状に設けられており、更に、二の腕部にも腕章を巻くように設けられている場合である。それぞれの保持部２の筒孔内には自己発光体３が挿入されており、発光状態が前後または左右から十分に視認可能な状態となっている。しかも、前記保持部２が作業の邪魔になることもないため使い勝手のよいものである。
なお前記保持部２は、既に使用中の反射布付き安全衣服の前後等の必要箇所に後付けし、自己発光体３を挿入することで前記安全衣服と同様の視認性機能を発揮することができ、経済性にも富むものである。
【００２３】
また図６は、安全衣服が安全用タスキである場合を示すものである。この場合は、フレキシブルでかつ光透過性を有する素材からなる筒状の保持部２が設けられており、この保持部２の筒孔内には自己発光体３が挿入されている。更に、自己発光体３の発光方向の前方側には、保持部２に隣接して再帰性反射布６が取り付けられた構造となっている。従って、前記自己発光体３の発光と再帰性反射布６からの反射光の組み合わせにより暗闇における視認性が極めて高くなり、優れた安全性を発揮することとなる。
【００２４】
図７に本発明の発光体付き安全衣服の使用状態を示す。
本発明では、図示するように、視認可能な位置に帯状の自己発光体３が装着されていて発光するため、外部からの光がなくても第三者に自分の位置をしっかりと知らせることができる。また、自己発光体３の光方向の前方側には、隣接して再帰性反射布６が取り付けてあるため、自動車等のヘッドライトが当たると、その光は光源である自動車に向かってそのまま反射されてドライバーによく光って見えることになり、前記自己発光体３の発光との相乗的効果により、視認性を大幅に向上させることができる。
【００２５】
以上の説明からも明らかなように、本発明では衣服本体の前後または左右から視認可能な位置に、フレキシブルでかつ光透過性を有する素材からなる筒状の保持部を設けて、この保持部の筒孔内に帯状の自己発光体を挿入および取り出し自在としたので、ＬＥＤ等の発光体の着脱が簡単で汚れた場合にも発光体を簡単に取り出して洗濯を行うことができるとともに、洗濯後も発光体を簡単に取り付けることができる。また、ＬＥＤ点灯に伴う背面側への放熱が少ないため着用者の暑さの負担も小さくすることができるという利点もある。
【符号の説明】
【００２６】
１  衣服本体
２  保持部
２ａ  筒孔
２ｂ  孔部
３  自己発光体
３ａ  フレキシブル基板
３ｂ  ＬＥＤ
４  ハーネス
５  携帯電源
６  再帰性反射布
【図１】
2017186692.tif 000003
【図２】
2017186692.tif 000004
【図３】
2017186692.tif 000005
【図４】
2017186692.tif 000006
【図５】
2017186692.tif 000007
【図６】
2017186692.tif 000008
【図７】
2017186692.tif 000009